(57)【特許請求の範囲】
【請求項１】
表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な駆動電圧出力手段を備えた表示装置用駆動装置において、
前記駆動電圧出力手段を複数個備え、これら駆動電圧出力手段は、他の駆動電圧出力手段から出力された表示装置駆動電圧を相互に使用可能となるように、前記駆動電圧出力手段における表示装置駆動電圧の出力部同士が互いに接続され、
前記各駆動電圧出力手段をマスターモードとスレーブモードとの何れに設定するかを示すモード情報を記憶する書き換え可能な複数個のモード記憶手段と、前記各モード記憶手段が記憶するモード情報を書き換えるモード書き換え手段とを備え、
前記各駆動電圧出力手段は、前記モード記憶手段が記憶するモード情報をマスターモードに書き換えたときに、前記表示装置駆動電圧の出力を行う一方、前記モード記憶手段が記憶するモード情報をスレーブモードに書き換えたときに、前記表示装置駆動電圧の出力を停止することを特徴とする表示装置用駆動装置。
【請求項２】
前記駆動電圧出力手段における表示装置駆動電圧の出力部には、スイッチング手段を介して前記表示装置駆動電圧を供給する外部電源が接続されていることを特徴とする請求項１に記載の表示装置用駆動装置。
【請求項３】
前記表示装置駆動電圧を供給する外部電源を備えるとともに、
複数の前記駆動電圧出力手段における表示装置駆動電圧の出力部同士を互いに接続する給電線、およびこの給電線と前記外部電源との間には、スレーブモードに設定された駆動電圧出力手段がマスターモードに設定された駆動電圧出力手段または前記外部電源との接続を選択できるように、スイッチング手段が設けられていることを特徴とする請求項１に記載の表示装置用駆動装置。
【請求項４】
表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、
前記の各駆動電圧出力手段をマスターモードとスレーブモードとの何れに設定するかを示すモード情報を記憶する書き換え可能な複数のモード記憶手段と、
前記各モード記憶手段が記憶するモード情報を書き換えるモード書き換え手段とを備えた表示装置用駆動装置を使用し、
前記複数の駆動電圧出力手段における表示装置駆動電圧の出力部同士を互いに接続し、前記モード書き換え手段により書き換えられる前記各記憶手段のモード情報に基づいて、少なくとも何れか１個の前記駆動電圧出力手段をマスターモードに設定する一方、他の前記駆動電圧出力手段をスレーブモードに設定し、マスターモードの駆動電圧出力手段の出力部からスレーブモードの駆動電圧出力手段の出力部に前記表示装置駆動電圧を供給することを特徴とする表示装置の駆動方法。
【請求項５】
前記記憶手段が記憶するモード情報を前記モード書き換え手段により書き換えることにより、駆動電圧出力手段をマスターモードとスレーブモードとの間にて切り換えることを特徴とする請求項４に記載の表示装置の駆動方法。
【請求項６】
前記記憶手段が記憶するモード情報に基づいて、少なくとも何れか１個の前記駆動電圧出力手段をスレーブモードに設定し、このスレーブモードの駆動電圧出力手段の出力部には、マスターモードの駆動電圧出力手段の出力部もしくは外部電源から前記表示装置駆動電圧を供給することを特徴とする請求項４に記載の表示装置の駆動方法。
【発明の詳細な説明】
【０００１】
【発明の属する技術分野】
本発明は、例えば液晶パネルの駆動装置に適用される表示装置用駆動装置および表示装置の駆動方法に関するものである。
【０００２】
【従来の技術】
例えば、液晶表示装置には液晶パネルを駆動する液晶ドライバが備えられている。この液晶ドライバは液晶駆動電圧から液晶パネルを駆動するための液晶駆動出力を作成している。この液晶ドライバにおいて、上記液晶駆動電圧を得るのには、液晶パネルの使用目的に応じて、従来、主に下記の技術が採用されている。
【０００３】
１．液晶ドライバ用に設けられた外部電源から、複数個の液晶ドライバの全てに対して液晶駆動電圧を供給するもの
２．ロジック駆動用電源から、ロジック電圧と共通の電圧を液晶ドライバに供給し、液晶ドライバ内部で液晶駆動電圧を作成するもの（なお、電圧の作成をロジック電圧の昇圧により行う場合、各液晶ドライバは昇圧回路を内蔵する）
３．ロジック駆動用電源から、ロジック電圧と共通の電圧を複数個備えられた液晶ドライバのうちの１つに供給し、その液晶ドライバ内部で液晶駆動電圧を作成し、それを他の液晶ドライバに供給するもの（なお、液晶駆動電圧の作成をロジック電圧の昇圧により行う場合、その液晶ドライバは昇圧回路を内蔵する）。
【０００４】
上記第１従来技術の例を図７に示す。同図に示す表示装置用駆動装置１０１は、複数個、例えば４個の液晶ドライバ１０３を備える。これら液晶ドライバ１０３には、外部電源（図示せず）から例えば３Ｖのロジック電圧ａおよび例えば１５Ｖの液晶駆動電圧ｂが入力されるとともに、コントローラ（図示せず）から制御信号ｃおよびデータ信号ｄが入力される。なお、ここではコモン電極を駆動するドライバについての説明は省略している。この点は、第２従来技術を例示する図８および第３従来技術を例示する図９においても同様である。
【０００５】
各液晶ドライバ１０３では、液晶駆動電圧ｂから例えば抵抗分割等により例えば０〜１５Ｖの液晶駆動出力ｅを作成し、これを制御信号ｃおよびデータ信号ｄに基づいて液晶パネル１０２へ出力する。これにより、液晶パネル１０２ではデータ信号ｄに基づいた表示が行われる。
【０００６】
このように第１従来技術の構成では液晶駆動電圧ｂが外部電源から供給されるため、各液晶ドライバ１０３内には昇圧回路等の特別な回路が不要となっている。
【０００７】
次に、上記第２従来技術の例を図８に示す。同図に示す表示装置用駆動装置１１１は、２個の液晶ドライバ１１２を有し、各液晶ドライバ１１２は、昇圧回路１１３および駆動回路１１４を有する。各昇圧回路１１３には、外部電源であるロジック駆動用電源（図示せず）から例えば３Ｖのロジック電圧ａが供給される。また、各液晶ドライバ１１２には、コントローラ１１５から制御信号ｃおよびデータ信号ｄが入力される。
【０００８】
各液晶ドライバ１１２の昇圧回路１１３は、例えば３Ｖのロジック電圧ａを昇圧して例えば１５Ｖの液晶駆動電圧ｂを作成し、これを駆動回路１１４に出力する。駆動回路１１４では、液晶駆動電圧ｂから、例えば０〜１５Ｖの液晶駆動出力ｅを作成し、これを制御信号ｃおよびデータ信号ｄに基づいて液晶パネル１０２に供給する。
【０００９】
上記の表示装置用駆動装置１１１は、ＳＴＮ液晶を用いたデューティー駆動方式でのデュアルスキャン方式を採用している。この場合、液晶パネル１０２のセグメント電極は上下に分割されており、これら上下各々を駆動する液晶ドライバ１１２を備えている。
【００１０】
次に、上記第３従来技術の例を図９に示す。同図に示す表示装置用駆動装置１２１は、２個の液晶ドライバ１２２ａ、１２２ｂを有し、各液晶ドライバ１２２ａ、１２２ｂは、昇圧回路１１３および駆動回路１１４を有する。各昇圧回路１１３には、外部電源であるロジック駆動用電源（図示せず）から例えば３Ｖのロジック電圧ａが供給される。また、各液晶ドライバ１２２ａ、１２２ｂには、コントローラ１１５から制御信号ｃおよびデータ信号ｄが入力される。
【００１１】
液晶ドライバ１２２ａ、１２２ｂは設定端子１２３を有し、この設定端子１２３での設定により、液晶ドライバ１２２ａ、１２２ｂへの電圧の供給方法が異なるようになっている。
【００１２】
即ち、設定端子１２３をＨｉｇｈ（ロジック電源電圧）にしている液晶ドライバ１２２ａでは昇圧回路１１３が機能する。したがって、液晶ドライバ１２２ａへはロジック電圧（３Ｖ）ａが入力され、このロジック電圧ａの昇圧によって得られた液晶駆動電圧（１５Ｖ）ｂを外部へ出力可能となる。
【００１３】
一方、設定端子１２３をＬｏｗ（ＧＮＤ電位）にしている液晶ドライバ１２２ｂでは昇圧回路１１３が機能しない。したがって、液晶ドライバ１２２ｂへは外部から液晶駆動電圧ｂが入力される。この入力は給電線１２４を介して液晶ドライバ１２２ａの昇圧回路１１３から行われる。上記液晶ドライバ１２２ａのような設定をマスターモードと呼び、液晶ドライバ１２２ｂのような設定をスレーブモードと呼ぶ。
【００１４】
上記のように、マスターモードのドライバ１０２ａは、ロジック電圧ａより昇圧回路１１３にて液晶駆動電圧ｂを作成し、この液晶駆動電圧ｂから駆動回路１１４にて液晶駆動出力ｅを作成し、この液晶駆動出力ｅにより液晶パネル１０２に表示を行わせる。さらに、液晶駆動電圧ｂを他方の液晶ドライバ１２２ｂに出力する。
【００１５】
一方、スレーブモードの液晶ドライバ１２２ｂは、液晶駆動電圧ｂをマスターモードの液晶ドライバ１２２ａから受け取り、この液晶駆動電圧ｂから駆動回路１１４にて液晶駆動出力ｅを作成し、この液晶駆動出力ｅにより液晶パネル１０２に表示を行わせる。
【００１６】
なお、特開平１０−６２７４６号には、電源に関するものではないものの、同様の技術が開示されている。即ち、同公報には、高電圧で動作する垂直ドライバ（コモン電極ドライバに相当）の入力信号をレベルシフトする、レベルシフタをマスターの垂直ドライバのみに配置し、このマスターから出力される、レベルシフトされた入力信号をスレーブの垂直ドライバが受け取る方式が示されている。
【００１７】
【発明が解決しようとする課題】
一般に、液晶ドライバは、これによって駆動される液晶パネルが容量性負荷であるため、液晶パネルに対して充放電を行う必要がある。このため、液晶ドライバの電源は、出力の変動に伴い多くの電流を供給することが求められ、電流供給能力が不足する場合には電源電圧自体が変動してしまう。この結果、液晶パネルの表示に悪影響を及ぼすことになる。
【００１８】
第１従来技術では、複数個の液晶ドライバ１０３の全てに液晶駆動電圧ｂを供給する外部電源を別に設けているので、液晶パネル１０２の特性に見合った電源を配備できるという利点がある。
【００１９】
しかしながら、上記外部電源を設ける必要があるため、コストアップを招来するとともに、電源の実装領域を確保する必要がある。
【００２０】
第２従来技術では、各液晶ドライバ１１２が電源として機能する昇圧回路１１３を有する結果、昇圧回路１１３が各液晶ドライバ１１２に分散配置されたものとなっている。したがって、各昇圧回路１１３の電流供給能力は小さくてもよく、また、別途電源を実装する場合のようなコストアップも発生しない。
【００２１】
しかしながら、複数の独立した昇圧回路１１３の出力電圧は、全く同一にすることが不可能であり、互いに異なったものとなる。このため、液晶パネル１０２において高品位の表示は困難となる。即ち、液晶パネル１０２では、その表示の状態や特性にもよるものの、特に例えば画面全体において均一な画像を表示した場合に液晶駆動電圧ｂが１０ｍＶ異なれば、人間の目はその差を認識することができる。したがって、第２従来技術は、例えば画面全体において均一な画像を表示するような場合に使用することができない。また、一般に昇圧回路１１３は消費電力が大きくなるため、各液晶ドライバ１１２において昇圧回路１１３を動作させると、消費電力が増大することになる。
【００２２】
第３従来技術では、１個の液晶ドライバ１２２ａにおいて電源として機能する昇圧回路１１３を作動させ、そこから得られた液晶駆動電圧ｂを他の液晶ドライバ１２２ｂに供給している。したがって、消費電力の低減が可能である。また、昇圧回路１１３の出力電圧、即ち液晶駆動電圧ｂの変動が全液晶ドライバ１２２ａ、１２２ｂにおいて均一に生じることになる。したがって、液晶駆動電圧ｂの変動による表示の不均一さが視認され難いという利点もある。
【００２３】
特に、携帯電話用の液晶パネルをデュアルスキャン駆動により動作させる場合には、図９に示したように、液晶パネル１０２の両側（図中上下）に液晶ドライバを配置し、一方を昇圧により液晶駆動電圧ｂを得るマスターモードとし、他方をマスターモードで発生した液晶駆動電圧ｂを受け取るスレーブモードとした形態が多く採用される。この場合、システム全体での電源回路の簡略化、消費電流の多い昇圧回路１１３の個数の削減、各液晶ドライバ間での液晶駆動電圧ｂの均一化という利点がある。
【００２４】
ところで、前記の特開平１０−６２７４６号では、マスターチップとスレーブチップとして異なる回路構成のＬＳＩ、即ち昇圧回路１１３を内蔵するＬＳＩと内蔵しないＬＳＩとを備えている。この場合には、液晶ドライバとして異なる回路構成のＬＳＩを作成する必要があり、コストアップとなる。そこで、一般には、図９に示したように、マスターモードとスレーブモードとの切り換え用の設定端子１２３を備えることにより、機能をマスターモードとスレーブモードとに切り換え可能なＬＳ１を作成し、液晶パネル１０２へのＬＳＩの実装時もしくは実装用パッケージにおいて、設定端子１２３を所望のモードに設定（固定）するようにしている。
【００２５】
しかしながら、上記のように設定端子１２３により液晶ドライバを所定のモードに設定する構成では、液晶ドライバ（ＬＳＩ）の実装時に設定端子１２３に接続されるモード設定用の信号配線１２５が必要になる。あるいは液晶ドライバ（ＬＳＩ）の複数の実装パッケージ、例えばＴＣＰ（テープキャリアパッケージ）においてＴＣＰ内配線によるＨｉｇｈレベル固定のものとＬｏｗレベル固定のものを用意する必要がある。このため、やはりコストアップを招来することになる。
【００２６】
また、上記従来の構成では、一度液晶ドライバ（ＬＳＩ）を実装してしまうと、電源供給方式（電流供給能力）を切り換えることができない。即ち、液晶ドライバにおいてマスターモードとスレーブモードとを切り換えることができない。このため、表示の状態によって電源の能力が不足する場合に、電圧供給方式を表示に必要な能力のものに切り換えることができない。この結果、常に最大の消費電力を想定して電源の設定を行う必要があり、この場合にはコストアップを招来する。
【００２７】
したがって、本発明は、液晶ドライバにマスターモードとスレーブモードとを切り換えるための設定端子が不要であり、かつ表示装置に対して実装後にも上記両モードの切り換えが可能な表示装置用駆動装置および表示装置の駆動方法の提供を目的としている。
【００２８】
【課題を解決するための手段】
上記の課題を解決するために、本発明の表示装置用駆動装置は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な駆動電圧出力手段、例えば液晶ドライバを備えた表示装置用駆動装置において、前記駆動電圧出力手段をマスターモードとスレーブモードとの何れに設定するかを示すモード情報を記憶する書き換え可能なモード記憶手段、例えば選択レジスタを備え、前記駆動電圧出力手段は、前記モード記憶手段に前記マスターモードを示すモード情報が記憶されているときに、前記表示装置駆動電圧の出力を行う一方、前記モード記憶手段に前記スレーブモードを示すモード情報が記憶されているときに、前記表示装置駆動電圧の出力を停止することを特徴としている。
【００２９】
上記の構成によれば、駆動電圧出力手段にはマスターモードあるいはスレーブモードを設定するモード設定用の設定端子が不要となり、したがって、この設定端子に接続される信号配線も不要となる。即ち、本発明の表示装置用駆動装置では、駆動電圧出力手段に上記モード設定端子に代るモード記憶手段が備えられ、このモード記憶手段が記憶するモード情報は、例えばコントローラから従来より駆動電圧出力手段（例えば液晶ドライバ）に入力されている信号線を使用した制御信号およびデータ信号により書き込むことができる。これにより、コストダウンが可能である。
【００３０】
また、駆動電圧出力手段の動作モードは、モード記憶手段が記憶するモード情報を書き換えることによりマスターモードとスレーブモードとの間にて変更されるので、この変更は、表示装置への表示装置用駆動装置の実装後においても容易に行うことができる。したがって、予め各動作モードに応じた複数種類の実装パッケージを用意しておく必要がなく、これによってもコストダウンが可能である。
【００３１】
以上の点をさらに詳細に説明すると、記憶手段、例えば選択レジスタの作製は、ＬＳＩ開発時に設計に入れておけば、ＬＳＩのコストにほとんど影響を及ぼさない。一方、固定端子をパッケージにて固定する場合には、パッケージを２種類用意する必要があり、パッケージ作製の金型費用が２倍になる。また、基板上にてモード設定端子を固定する構成では、パッケージの端子が１本多くなると、基板上の配線が２本増えることになる。このように、パッケージの入力が増えること、基板配線が増えることは、高密度実装を行なう上において不利であるとともに、コストアップとなる。本願発明ではこのような問題が解決される。
【００３２】
さらに、本発明の構成によれば、上記のように表示装置への表示装置用駆動装置の実装後においても駆動電圧出力手段の動作モードの変更が可能であるから、駆動電圧出力手段の動作モードを表示装置用駆動装置の使用状況、例えば表示装置の表示状況に応じて適宜変更することにより、電源の能力不足を防止して良質の表示を行うことができ、また低消費電力の動作が可能となる。
【００３３】
上記の表示装置用駆動装置は、前記駆動電圧出力手段を複数個備え、これら駆動電圧出力手段が、他の駆動電圧出力手段から出力された表示装置駆動電圧を相互に使用可能となるように、前記駆動電圧出力手段における表示装置駆動電圧の出力部同士が互いに接続されていることを特徴としている。
【００３４】
上記の構成によれば、例えば各駆動電圧出力手段に対応して設けられた各モード記憶手段にモード情報を書き込み、複数の駆動電圧出力手段のうちの何れかをマスターモードとする一方、他の駆動電圧出力手段をスレーブモードとすることにより、マスターモードの駆動電圧出力手段からスレーブモードの駆動電圧出力手段へ表示装置駆動電圧を供給するような動作が可能である。このように、複数の駆動電圧出力手段のうちの最小限の駆動電圧出力手段により表示装置駆動電圧を作成することにより、消費電力の低減を図ることができる。
【００３５】
この動作は、表示画面が高精細のものではない場合、あるいは表示画面での表示の切り換えが高速でない場合（表示画面において静止画や動作の遅い動画を表示する場合）等、電流供給能力が大きくなくても良い場合（電力消費量が少ない場合）に適する。
【００３６】
また、全ての駆動電圧出力手段をマスターモードとする動作が可能である。この場合には、駆動電圧出力手段において表示装置駆動電圧が作成されるので、各駆動電圧出力手段により負担を分担することができる。
【００３７】
この動作は、各駆動電圧出力手段の出力に若干ばらつきが生じている場合であっても、例えば表示画像の種類により表示に問題がない場合に適する。
【００３８】
前記駆動電圧出力手段における表示装置駆動電圧の出力部には、スイッチング手段を介して前記表示装置駆動電圧を供給する外部電源が接続されている構成としてもよい。
【００３９】
上記の構成によれば、前述した、複数の駆動電圧出力手段のうちの何れかをマスターモードとする一方、他の駆動電圧出力手段をスレーブモードとする動作、および全ての駆動電圧出力手段をマスターモードとする動作に加えて、全ての駆動電圧出力手段をスレーブモードとし、これら駆動電圧出力手段の出力部に外部電源から表示装置駆動電圧を供給する動作が可能である。この場合には、外部電源から安定したかつ均一の電圧が全駆動電圧出力手段に供給されるので、表示画面において高品位の表示が可能となる。
【００４０】
この動作は、表示画面が高精細のものであること、あるいは表示画面での表示の切り換えが高速であることなどにより、大きい電流供給能力が要求される場合に適する。
【００４１】
上記の表示装置用駆動装置は、前記表示装置駆動電圧を供給する外部電源を備えるとともに、複数の前記駆動電圧出力手段における表示装置駆動電圧の出力部同士を互いに接続する給電線、およびこの給電線と前記外部電源との間には、スレーブモードに設定された駆動電圧出力手段がマスターモードに設定された駆動電圧出力手段または前記外部電源との接続を選択できるように、スイッチング手段が設けられている構成としてもよい。
【００４２】
上記の構成によれば、スレーブモードに設定された駆動電圧出力手段は、スイッチング手段の切換え動作により、表示装置駆動電圧の供給元を、例えば表示画面での高精細表示の有無や表示画面の切換え速度の高低等による要求する電流供給能力の大小に応じて、マスターモードに設定された駆動電圧出力手段と外部電源との何れかから選択することができる。
【００４３】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能なモード記憶手段とを備えた表示装置用駆動装置を使用し、前記記憶手段が記憶するモード情報に基づいて、全ての前記駆動電圧出力手段をスレーブモードに設定し、これら駆動電圧出力手段に外部電源から前記表示装置駆動電圧を供給することを特徴としている。
【００４４】
上記の構成によれば、例えば各駆動電圧出力手段に対応して設けられた各モード記憶手段の全てにスレーブモードを示すモード情報を書き込むことにより、全ての駆動電圧出力手段をスレーブモードに設定し、これら駆動電圧出力手段に外部電源から前記表示装置駆動電圧を供給する。この場合には、外部電源から安定したかつ均一の電圧が全駆動電圧出力手段に供給されるので、表示画面において高品位の表示が可能となる。
【００４５】
この動作は、表示画面が高精細のものであること、あるいは表示画面での表示の切り換えが高速であることなどにより、大きい電流供給能力が要求される場合に適する。
【００４６】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能な複数のモード記憶手段とを備えた表示装置用駆動装置を使用し、前記複数の駆動電圧出力手段における表示装置駆動電圧の出力部同士を互いに接続し、前記各記憶手段が記憶するモード情報に基づいて、少なくとも何れか１個の前記駆動電圧出力手段をマスターモードに設定する一方、他の前記駆動電圧出力手段をスレーブモードに設定し、マスターモードの駆動電圧出力手段の出力部からスレーブモードの駆動電圧出力手段の出力部に前記表示装置駆動電圧を供給することを特徴としている。
【００４７】
上記の構成によれば、例えば各駆動電圧出力手段に対応して設けられた各モード記憶手段にモード情報を書き込むことにより、例えば表示画面での表示状況に応じて、少なくとも何れか１個の駆動電圧出力手段をマスターモードに設定する一方、他の駆動電圧出力手段をスレーブモードに設定し、マスターモードの駆動電圧出力手段からスレーブモードの駆動電圧出力手段に表示装置駆動電圧を供給する。
【００４８】
この場合には、複数の駆動電圧出力手段のうちの最小限の駆動電圧出力手段により表示装置駆動電圧を作成することができるので、消費電力の低減を図ることができる。
【００４９】
この動作は、表示画面が高精細のものではない場合、あるいは表示画面での表示の切り換えが高速でない場合（表示画面において静止画や動作の遅い動画を表示する場合）等、電流供給能力が大きくなくても良い場合（電力消費量が少ない場合）に適する。
【００５０】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能なモード記憶手段とを備えた表示装置用駆動装置を使用し、前記記憶手段が記憶するモード情報を書き換えることにより、駆動電圧出力手段をマスターモードとスレーブモードとの間にて切り換えることを特徴としている。
【００５１】
上記の構成によれば、例えば各駆動電圧出力手段に対応して設けられた各モード記憶手段が記憶するモード情報を書き換えることにより、例えば表示画面での表示状況に応じて、駆動電圧出力手段をマスターモードとスレーブモードとの間にて切り換える。
【００５２】
これにより、各駆動電圧出力手段は、表示画面での表示状況や要求される電流供給能力に応じて、最適な動作モードにて動作することができる。
【００５３】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能なモード記憶手段とを備えた表示装置用駆動装置を使用し、前記記憶手段が記憶するモード情報に基づいて、少なくとも何れか１個の前記駆動電圧出力手段をスレーブモードに設定し、このスレーブモードの駆動電圧出力手段には、マスターモードの駆動電圧出力手段もしくは外部電源から前記表示装置駆動電圧を供給することを特徴としている。
【００５４】
上記の構成によれば、例えば各駆動電圧出力手段に対応して設けられた各モード記憶手段が記憶するモード情報を書き換えることにより、例えば表示画面での表示状況に応じて、少なくとも何れか１個の駆動電圧出力手段をスレーブモードに設定し、このスレーブモードの駆動電圧出力手段には、マスターモードの駆動電圧出力手段もしくは外部電源から前記表示装置駆動電圧を供給する。
【００５５】
これにより、各駆動電圧出力手段は、表示画面での表示状況や要求される電流供給能力に応じて、最適な動作モードにて動作することができる。
【００５６】
【発明の実施の形態】
本発明の実施の一形態を図１ないし図６に基づいて以下に説明する。
本実施の形態では、本発明の表示装置用駆動装置が液晶表示装置に適用された例であって、ＳＴＮ液晶パネルを用いたデューティー駆動方式でのデュアルスキャン方式の場合について示す。
【００５７】
図１には表示装置用駆動装置１の基本構成を示す。同図に示すように、表示装置用駆動装置１は、表示装置としての液晶パネル２を駆動するものであり、複数の液晶ドライバ（駆動電圧出力手段）３、およびコントローラ４を備えている。本実施の形態において、液晶ドライバ３は２個備えられている。各液晶ドライバ３は、選択レジスタ（モード記憶手段）５、昇圧回路６および駆動回路７を備えている。
【００５８】
液晶ドライバ３には、制御信号入力端子８にコントローラ４から制御信号ｃが入力され、選択レジスタ５の入力側と接続されたデータ信号入力端子９にコントローラ４からデータ信号ｄが入力される。また、昇圧回路６の入力側と接続されたロジック電圧入力端子１１に、外部電源であるロジック駆動用電源（図示せず）から例えば３Ｖのロジック電圧ａが入力される。
【００５９】
昇圧回路６の出力側と駆動回路７の入力側との間には、ＯＮ／ＯＦＦ動作を行うスイッチ１２が設けられている。このスイッチ１２のＯＮ／ＯＦＦ動作および昇圧回路６の作動／非作動は選択レジスタ５からの出力により（選択レジスタ５の設定に応じて）制御される。また、両液晶ドライバ３における駆動回路７の入力側同士は、給電線１３により接続されている。
【００６０】
昇圧回路６は、例えば３Ｖのロジック電圧ａを昇圧して例えば１５Ｖの液晶駆動電圧（表示装置駆動電圧）ｂを作成する。駆動回路７は、例えば１５Ｖの液晶駆動電圧ｂから抵抗分割等により例えば０〜１５Ｖの液晶駆動出力ｅを作成し、これを液晶パネル２へ出力して表示を行わせる。
【００６１】
選択レジスタ５には、コントローラ４からの制御信号ｃおよびデータ信号ｄに基づきマスターモードまたはスレーブモードの設定値が格納される。なお、図１の状態では、一方の液晶ドライバ３の選択レジスタ５にマスターモードの設定値が格納され、他方の液晶ドライバ３の選択レジスタ５にスレーブモードの設定値が格納されている。
【００６２】
以下に表示装置用駆動装置１の上記構成についてさらに詳細に説明する。
コントローラ４は、外部のマイクロコンピュータＭＰＵ（図示せず）とシステムバスを介して接続されており、このマイクロコンピュータからのコントローラ制御用信号の入出力および表示用データ信号の入力を行う。コントローラ４は、上記マイクロコンピュータからコントローラ制御用信号を受け、この制御信号に基づき、液晶パネル２の上下セグメント電極を駆動するための２個の液晶ドライバ３の各々にタイミングを合わせて表示用のデータ信号ｄを出力する。このとき、液晶ドライバ３はデータ信号ｄを入力すると、このデータ信号ｄを、例えば内蔵している表示ＲＡＭ（図示せず）に格納する。
【００６３】
さらに、コントローラ４は、液晶ドライバ３を制御する各種の制御信号ｃ（例えば、動作クロック、データラッチ信号、水平同期信号、交流化信号あるいはスタートパルス信号等）を液晶ドライバ３に出力する。液晶ドライバ３はこの制御信号ｃを制御信号入力端子８から入力する。
【００６４】
液晶ドライバ３の選択レジスタ５は、制御信号入力端子８から入力した制御信号ｃおよびデータ信号入力端子９から入力したデータ信号ｄに基づき、液晶ドライバ３をマスターモードまたはスレーブモードに設定するための設定値を格納する。この選択レジスタ５は、例えば、ビット数分用意されたＤタイプフリップフロップ等の簡単な回路で構成されている。
【００６５】
昇圧回路６は、例えば、既知のチャージポンプ回路等により構成されている。この昇圧回路６は、チャージポンプ用のクロックを入力することにより入力電圧に対する昇圧動作を行う一方、上記クロックの入力が停止すると昇圧動作を停止する。
【００６６】
昇圧回路６の作動と停止とを切り換えるスイッチ回路は、例えばＭＯＳトランジスタ等からなるアナログスイッチ回路にて構成される。したがって、昇圧回路６は、例えば図２に示すように、チャージポンプ回路２１とスイッチ回路２２とを備えた構成となる。この場合、スイッチ回路２２は、選択レジスタ５にマスターモードとする設定値が格納されたときにチャージポンプ回路２１ヘチャージポンプ用のクロックを入力させる一方、選択レジスタ５にスレーブモードとする設定値が格納されたときに、チャージポンプ回路２１ヘのチャージポンプ用のクロックの入力を禁止あるいは停止させる手段として機能する。
【００６７】
また、液晶ドライバ３では、選択レジスタ５での設定がスレーブモードである場合とマスターモードである場合とに応じて、昇圧回路６と駆動回路７との間のスイッチ１２の開閉動作（スレーブモードで開、マスターモードで閉）が行われる。なお、上記スイッチ１２に代えて、スレーブモードの場合に昇圧回路６の出力段をハイインピーダンスにする手段が備えられていてもよい。
【００６８】
駆動回路７は、図３に示すように、セグメント電極ドライバ３１、コモン電極ドライバ３２および液晶駆動電圧発生回路３３を備えている。セグメント電極ドライバ３１は、前記表示ＲＡＭから出力されたデータ信号ｄをラッチするデータラッチ回路４１、１水平同期期間、データ信号ｄをラッチするラインラッチ回路４２、パルス幅変調方式による階調表示のためにデータ信号ｄに応じてパルス幅を選択する階調デコーダ回路４３、最大液晶駆動電圧レベル（ここでは１５Ｖ）に階調デコーダ回路４３の出力信号レベルを昇圧させるレベルシフタ回路４４、およびレベルシフタ回路４４の出力信号を液晶パネル２の各セグメント電極に低インピーダンス化して出力する出力回路４５から構成されている。
【００６９】
一方、コモン電極ドライバ３２は、液晶パネル２に走査信号を出力するドライバであり、シフトレジスタ回路５１、このシフトレジスタ回路５１の出力レベルを最大液晶駆動電圧レベル（ここでは１５Ｖ）に昇圧させるレベルシフタ回路５２、およびレベルシフタ回路５２の出力信号（走査信号）を液晶パネル２の各コモン電極に低インピーダンス化して出力する出力回路５３から構成されている。
【００７０】
ここで、セグメント電極ドライバ３１のデータラッチ回路４１、ラインラッチ回路４２および階調デコーダ回路４３はロジック駆動用電源から供給されるロジック電圧ａ（ここでは３Ｖ）にて駆動され、レベルシフタ回路４４および出力回路４５は最大液晶駆動電圧にて駆動される。一方、コモン電極ドライバ３２のシフトレジスタ回路５１は上記ロジック電圧ａ（ここでは３Ｖ）にて駆動され、レベルシフタ回路５２および出力回路５３は最大液晶駆動電圧（ここでは１５Ｖ）にて駆動される。また、液晶駆動電圧発生回路３３は、例えば、シリーズに接続された複数の抵抗で構成され、最大液晶駆動電圧（ここでは１５Ｖ）を入力し、分割抵抗により液晶駆動に必要な電圧（Ｖ０、Ｖ１、Ｖ２、Ｖ３、Ｖ４、Ｖ５）を作成するものである。
【００７１】
上記の構成において、昇圧回路６は選択レジスタ５の設定に基づいて作動／非作動が切り替わる。昇圧回路６の作動、即ち昇圧回路６による昇圧動作を指示する所定の設定値が選択レジスタ５に設定されている場合、その昇圧回路６を備えた液晶ドライバ３はマスターモードとなる。この場合、昇圧回路６が、入力された例えば３Ｖのロジック電圧ａを昇圧して例えば１５Ｖの液晶駆動電圧ｂを作成するとともに、スイッチ１２がＯＮとなる。したがって、作成された液晶駆動電圧ｂは、駆動回路７に出力されるとともに、外部、即ち他方の液晶ドライバ３に出力される。
【００７２】
液晶駆動電圧ｂが入力された駆動回路７では、例えば１５Ｖの液晶駆動電圧ｂから例えば０〜１５Ｖの液晶駆動出力ｅを作成し、この液晶駆動出力ｅにより液晶パネル２を表示させる。
【００７３】
一方、昇圧回路６の非作動、即ち昇圧回路６による昇圧動作の停止を指示する所定の設定値が選択レジスタ５に設定されている場合、その昇圧回路６を備えた液晶ドライバ３はスレーブモードとなる。この場合、昇圧回路６がロジック電圧ａの昇圧動作を停止するとともに、スイッチ１２がＯＦＦとなる。したがって、その液晶ドライバ３は、外部、例えばマスターモードの液晶ドライバ３から液晶駆動電圧ｂの供給を受ける。
【００７４】
液晶駆動電圧ｂの供給を受けた液晶ドライバ３では、同様に、駆動回路７が、例えば１５Ｖの液晶駆動電圧ｂから例えば０〜１５Ｖの液晶駆動出力ｅを作成し、この液晶駆動出力ｅにより液晶パネル２を表示させる。
【００７５】
選択レジスタ５への設定値の書込みは、コントローラ４からの制御信号ｃおよびデータ信号ｄにより行われる。表示装置用駆動装置１における図１の例では、一方（図中上側）のコントローラ４がマスターモードに設定され、他方（図中下側）のコントローラ４がスレーブモードに設定されている。この状態は、先述の表示装置用駆動装置１２１における図９の状態と同様である。しかしながら、表示装置用駆動装置１では表示装置用駆動装置１２１と比較して、設定端子１２３が不要となっている。これ以外の端子は両者同様に備えている。
【００７６】
このように、表示装置用駆動装置１では、設定端子１２３が不要となっているので、液晶ドライバ（ＬＳＩ）の実装時に設定端子１２３に接続されるモード設定用の信号配線１２５が当然不要となり、コストダウンが可能である。
【００７７】
また、表示装置用駆動装置１では、選択レジスタ５の設定値を変更することにより、その選択レジスタ５を備える液晶ドライバ３のモードをマスターモードとスレーブモードとの間で変更可能である。したがって、例えばＬＳＩからなる液晶ドライバ３を液晶表示装置に実装した後においても、上記モードの変更が可能となる。これにより、液晶ドライバ３（ＬＳＩ）としてマスターモードとスレーブモードとの複数の実装パッケージ、例えばＴＣＰにおいてＴＣＰ内配線によるＨｉｇｈレベル固定のものとＬｏｗレベル固定のものを用意する必要がなく、コストダウンが可能である。
【００７８】
表示装置用駆動装置１では、上記のように、液晶表示装置への実装後であっても液晶ドライバ３のモードをマスターモードとスレーブモードとの間で変更可能である。したがって、図４〜図６に示すように、表示装置用駆動装置１を、さらに外部電源（ここでは１５Ｖを出力する電源）６２および制御スイッチ（スイッチング手段）６３を加えた構成の表示装置用駆動装置６１とすることもできる。なお、表示装置用駆動装置６１では２個の液晶ドライバ３を区別するために、一方を液晶ドライバ３ａとし、他方を液晶ドライバ３ｂとして示している。
【００７９】
制御スイッチ６３は第１および第２スイッチ６３ａ、６３ｂを備えている。第１スイッチ６３ａは給電線１３に設けられ、給電線１３の電気的な接続／切断を行う。第２スイッチ６３ｂは、給電線１３と外部電源６２との間に設けられ、外部電源６２と給電線１３との電気的な接続／切断を行う。
【００８０】
制御スイッチ６３は、例えばＭＯＳトランジスタ等のアナログスイッチにて構成され、コントローラ４の制御によりＯＮ／ＯＦＦ動作を行う。制御スイッチ６３は、外部に配設されているもの、コントローラ４に内蔵されているもの、あるいは液晶ドライバ３ａ、３ｂのどちらかに内蔵されているものの何れであってもよい。
【００８１】
外部電源６２（例えば電源回路からなるもの）は、コントローラ４にて動作が制御される。即ち、使用時のみ動作し、不使用時には動作を停止することにより、消費電力を低減できるものとなっている。
【００８２】
このような表示装置用駆動装置６１では、例えば下記の（１）〜（３）の動作が可能である。
【００８３】
（１）液晶パネル２が高精細のものである場合には、画素数が多いためあるいは大画面のため、負荷容量が大きくなる。そこで、液晶パネル２が高精細のものではない場合、あるいは液晶パネル２での表示の切り換えが高速でない場合（液晶パネル２において静止画や動作の遅い動画を表示する場合）等では、電源の電流供給能力が大きくなくても良いと判断できる。この場合には、液晶ドライバ３ａ、３ｂ（複数の液晶ドライバ３）のうちの何れか一つのみをマスターモードにし、残りをスレーブモードにすることにより、作動する昇圧回路６を最小限にして消費電力の低減を図ることができる。
【００８４】
この場合の表示装置用駆動装置６１の状態を図４に示す。同図の状態では、液晶ドライバ３ａがマスターモード、液晶ドライバ３ｂがスレーブモードに設定されている。したがって、液晶ドライバ３ａでは昇圧回路６が作動し、ロジック電圧ａ（例えば３Ｖ）を昇圧して液晶駆動電圧ｂ（例えば１５Ｖ）を作成する。この液晶駆動電圧ｂはＯＮとなっているスイッチ１２を介して駆動回路７に供給されるとともに、給電線１３に供給される。駆動回路７は液晶駆動電圧ｂから液晶駆動出力ｅ（例えば０〜１５Ｖ）を作成し、液晶パネル２を駆動する。
【００８５】
制御スイッチ６３は、コントローラ４により、第１スイッチ６３ａがＯＮ、第２スイッチ６３ｂがＯＦＦの状態に制御される。したがって、液晶ドライバ３ａから給電線１３に出力された液晶駆動電圧ｂは、液晶ドライバ３ｂにおける駆動回路７の入力側に供給される。また、外部電源６２は作動せず、第２スイッチ６３ｂはＯＦＦに制御される。
【００８６】
液晶ドライバ３ｂはスレーブモードであるので、昇圧回路６が非作動、スイッチ１２がＯＦＦとなる。したがって、液晶ドライバ３ｂの駆動回路７は、液晶ドライバ３ａから供給された液晶駆動電圧ｂから液晶駆動出力ｅを作成し、液晶パネル２を駆動する。
【００８７】
（２）液晶パネル２が高精細のものである場合、あるいは液晶パネル２での表示の切り換えが高速である場合等では、電源の電流供給能力を大きくする必要がある。一方、液晶ドライバ３ａからの液晶駆動出力ｅと液晶ドライバ３ｂからの液晶駆動出力ｅとの間に若干ばらつきが生じている場合であっても、例えば表示画像の種類により、表示に問題がないと判断される場合がある。この場合には、全液晶ドライバ３ａ、３ｂをマスターモードにしてもよい。この場合には、各液晶ドライバ３ａ、３ｂにおいて液晶駆動電圧発生源である昇圧回路６が作動するので、各液晶ドライバ３ａ、３ｂにより負担を分担することができる。
【００８８】
この場合の表示装置用駆動装置６１の状態を図５に示す。この（２）の状態（図５の状態）は、２個の液晶ドライバ３ａ、３ｂを有する表示装置用駆動装置６１の構成において、上記のように各液晶ドライバ３ａ、３ｂにより負担できるので、上記（１）の状態（図４の状態）に対して２倍の電流供給能力を備えることができる。
【００８９】
図５の状態では、液晶ドライバ３ａ、３ｂが共にマスターモードとなっている。したがって、液晶ドライバ３ａ、３ｂでは共に、昇圧回路６が作動し、ロジック電圧ａ（例えば３Ｖ）を昇圧して液晶駆動電圧ｂ（例えば１５Ｖ）を作成する。この液晶駆動電圧ｂはＯＮとなっているスイッチ１２を介して駆動回路７に供給されるとともに、給電線１３に供給される。液晶ドライバ３ａ、３ｂの駆動回路７は液晶駆動電圧ｂから液晶駆動出力ｅ（例えば０〜１５Ｖ）を作成し、液晶パネル２を駆動する。
【００９０】
液晶ドライバ３ａ、３ｂの両昇圧回路６の駆動電圧出力が互いに接続されている状態が好ましくない場合には、同図に示すように、制御スイッチ６３の第１スイッチ６３ａがＯＦＦにされる。また、外部電源６２は作動せず、第２スイッチ６３ｂもＯＦＦにされる。
【００９１】
（３）液晶パネル２が高精細のものである場合、あるいは液晶パネル２での表示の切り換えが高速である場合等では、電源の電流供給能力を大きくする必要がある。しかも、液晶ドライバ３ａからの液晶駆動出力ｅと液晶ドライバ３ｂからの液晶駆動出力ｅとの間に若干ばらつきが生じていることにより、液晶パネル２の表示に問題が生じると判断される場合がある。この場合には、全液晶ドライバ３ａ、３ｂをスレーブモードにし、外部電源６２から安定したかつ均一の電圧を液晶ドライバ３ａ、３ｂに供給することにより、液晶パネル２での高品位の表示を実現する。
【００９２】
この場合、外部電源６２は、当然、昇圧回路６よりも大きい電流供給能力を有する。なお、外部電源６２は例えば切り換えスイッチにより複数の電流供給能力を切り換え可能となった構成であってもよい。
【００９３】
この場合の表示装置用駆動装置６１の状態を図６に示す。同図の状態では、液晶ドライバ３ａ、３ｂが共にスレーブモードとなっている。したがって、液晶ドライバ３ａ、３ｂでは共に、昇圧回路６が作動せず、液晶ドライバ３ａ、３ｂの外部から液晶駆動電圧ｂの供給を受ける。また、両スイッチ１２はＯＦＦである。
【００９４】
一方、制御スイッチ６３は第１および第２スイッチ６３ａ、６３ｂが共にＯＮとなり、外部電源６２が作動する。したがって、外部電源６２から給電線１３を介して液晶ドライバ３ａ、３ｂの駆動回路７に液晶駆動電圧ｂが供給される。そして、両駆動回路７では、この液晶駆動電圧ｂから液晶駆動出力ｅを作成し、液晶パネル２を駆動する。
【００９５】
なお、以上の表示装置用駆動装置１、６１の構成、特に液晶ドライバ３の構成は、ＴＦＴ方式による液晶ドライバに対しても容易に適用でき、内部に昇圧手段を有し、階調表示電圧を作成して表示する表示装置に有効である。
【００９６】
また、表示装置用駆動装置１、６１あるいは液晶ドライバ３は、ＴＣＰ形態にて液晶パネルの額縁に実装されていても良いし、ＣＯＧ（チップオンガラス）形態にて、液晶パネルの額縁上の端子（ＩＴＯ）に異方性導電膜を介して接続され、固定されていても良い。
【００９７】
また、表示装置用駆動装置１、６１では、２個の液晶ドライバ３（液晶パネル２の両側に１個ずつの液晶ドライバ３）を有する場合を示したが、大画面もしくは高精細化での多電極数に対応して、３個以上の複数の液晶ドライバ３が縦続接続されている構成にも適用可能である。この場合に、任意の１個あるいは複数個の液晶ドライバ３をマスターモードに設定するような使用が可能である。
【００９８】
また、液晶パネル２の画面全体において表示を行うのではなく、画面の一部において表示を行うウインドウ表示の場合において、一部を動画表示する場合、あるいは静止画と動画とを切り換える場合には次のように対応することも可能である。即ち、液晶パネル２の画素容量への充放電が大きい電極部を担当している液晶ドライバ３はマスターモードとするか、もしくはその液晶ドライバ３に外部電源６２から液晶駆動電圧ｂを供給する一方、液晶パネル２の画素容量への充放電が小さい電極部を担当している液晶ドライバ３はスレーブモードとする。これにより、高表示品位化と低消費電力化を両立することができる。
【００９９】
本発明の構成では、マスターモードとスレーブモードとの切り替え端子が必要なくなり、実装時に切り換え端子の接続をする必要が無く、実装面積の削減が可能である。また、マスターモードとスレーブモードのデバイスを実装バッケージを含めて共通化できるため、コストの削減ができる。
【０１００】
さらに、表示状態により適切な電源供給方法を選択できる。したがって、例えば適切な電源能力を有する電源を複数個用意し、それらを適宜切り換えることにより、より低消費電力かつ高品位の表示が可能な表示装置を実現できる。
【０１０１】
【発明の効果】
以上のように、駆動電圧出力手段をマスターモードとスレーブモードとの何れに設定するかを示すモード情報を記憶する書き換え可能なモード記憶手段を備え、前記駆動電圧出力手段は、前記モード記憶手段に前記マスターモードを示すモード情報が記憶されているときに、表示装置駆動電圧の出力を行う一方、前記モード記憶手段に前記スレーブモードを示すモード情報が記憶されているときに、前記表示装置駆動電圧の出力を停止する構成である。
【０１０２】
上記の構成によれば、駆動電圧出力手段にはマスターモードあるいはスレーブモードを設定するモード設定用の設定端子が不要となり、したがって、この設定端子に接続される信号配線も不要となる。即ち、本発明の表示装置用駆動装置では、駆動電圧出力手段に上記モード設定端子に代るモード記憶手段が備えられ、このモード記憶手段が記憶するモード情報は、例えばコントローラから従来より駆動電圧出力手段（例えば液晶ドライバ）に入力されている信号線を使用した制御信号およびデータ信号により書き込むことができる。これにより、コストダウンが可能である。
【０１０３】
また、駆動電圧出力手段の動作モードは、モード記憶手段が記憶するモード情報を書き換えることによりマスターモードとスレーブモードとの間にて変更されるので、この変更は、表示装置への表示装置用駆動装置の実装後においても容易に行うことができる。したがって、予め各動作モードに応じた複数種類の実装パッケージを用意しておく必要がなく、これによってもコストダウンが可能である。
【０１０４】
さらに、上記のように表示装置への表示装置用駆動装置の実装後においても駆動電圧出力手段の動作モードの変更が可能であるから、駆動電圧出力手段の動作モードを表示装置用駆動装置の使用状況、例えば表示装置の表示状況に応じて適宜変更することにより、電源の能力不足を防止して良質の表示を行うことができ、また低消費電力の動作が可能となる。
【０１０５】
上記の表示装置用駆動装置は、前記駆動電圧出力手段を複数個備え、これら駆動電圧出力手段が、他の駆動電圧出力手段から出力された表示装置駆動電圧を使用可能となるように、前記表示装置駆動電圧の出力部同士が互いに接続されている構成としてもよい。
【０１０６】
上記の構成によれば、例えば各駆動電圧出力手段に対応して設けられた各モード記憶手段にモード情報を書き込み、複数の駆動電圧出力手段のうちの何れかをマスターモードとする一方、他の駆動電圧出力手段をスレーブモードとすることにより、マスターモードの駆動電圧出力手段からスレーブモードの駆動電圧出力手段へ表示装置駆動電圧を供給するような動作が可能である。このように、複数の駆動電圧出力手段のうちの最小限の駆動電圧出力手段により表示装置駆動電圧を作成することにより、消費電力の低減を図ることができる。
【０１０７】
この動作は、表示画面が高精細のものではない場合、あるいは表示画面での表示の切り換えが高速でない場合（表示画面において静止画や動作の遅い動画を表示する場合）等、電流供給能力が大きくなくても良い場合（電力消費量が少ない場合）に適する。
【０１０８】
また、全ての駆動電圧出力手段をマスターモードとする動作が可能である。この場合には、駆動電圧出力手段において表示装置駆動電圧が作成されるので、各駆動電圧出力手段により負担を分担することができる。
【０１０９】
この動作は、各駆動電圧出力手段の出力に若干ばらつきが生じている場合であっても、例えば表示画像の種類により表示に問題がない場合に適する。
【０１１０】
前記駆動電圧出力手段における表示装置駆動電圧の出力部には、スイッチング手段を介して前記表示装置駆動電圧を供給する外部電源が接続されている構成としてもよい。
【０１１１】
上記の構成によれば、前述した、複数の駆動電圧出力手段のうちの何れかをマスターモードとする一方、他の駆動電圧出力手段をスレーブモードとする動作、および全ての駆動電圧出力手段をマスターモードとする動作に加えて、全ての駆動電圧出力手段をスレーブモードとし、これら駆動電圧出力手段の出力部に外部電源から表示装置駆動電圧を供給する動作が可能である。この場合には、外部電源から安定したかつ均一の電圧が全駆動電圧出力手段に供給されるので、表示画面において高品位の表示が可能となる。
【０１１２】
この動作は、表示画面が高精細のものであること、あるいは表示画面での表示の切り換えが高速であることなどにより、大きい電流供給能力が要求される場合に適する。
【０１１３】
上記の表示装置用駆動装置は、前記表示装置駆動電圧を供給する外部電源を備えるとともに、複数の前記駆動電圧出力手段における表示装置駆動電圧の出力部同士を互いに接続する給電線、およびこの給電線と前記外部電源との間には、スレーブモードに設定された駆動電圧出力手段がマスターモードに設定された駆動電圧出力手段または前記外部電源との接続を選択できるように、スイッチング手段が設けられている構成としてもよい。
【０１１４】
上記の構成によれば、スレーブモードに設定された駆動電圧出力手段は、スイッチング手段の切換え動作により、表示装置駆動電圧の供給元を、例えば表示画面での高精細表示の有無や表示画面の切換え速度の高低等による要求する電流供給能力の大小に応じて、マスターモードに設定された駆動電圧出力手段と外部電源との何れかから選択することができる。
【０１１５】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能なモード記憶手段とを備えた表示装置用駆動装置を使用し、前記記憶手段が記憶するモード情報に基づいて、全ての前記駆動電圧出力手段をスレーブモードに設定し、これら駆動電圧出力手段に外部電源から前記表示装置駆動電圧を供給する構成である。
【０１１６】
上記の構成によれば、外部電源から安定したかつ均一の電圧が全駆動電圧出力手段に供給されるので、表示画面において高品位の表示が可能となる。この動作は、表示画面が高精細のものであること、あるいは表示画面での表示の切り換えが高速であることなどにより、大きい電流供給能力が要求される場合に適する。
【０１１７】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能なモード記憶手段とを備えた表示装置用駆動装置を使用し、前記記憶手段が記憶するモード情報に基づいて、少なくとも何れか１個の前記駆動電圧出力手段をマスターモードに設定する一方、他の前記駆動電圧出力手段をスレーブモードに設定し、マスターモードの駆動電圧出力手段からスレーブモードの駆動電圧出力手段に前記表示装置駆動電圧を供給する構成である。
【０１１８】
上記の構成によれば、複数の駆動電圧出力手段のうちの最小限の駆動電圧出力手段により表示装置駆動電圧を作成することができるので、消費電力の低減を図ることができる。この動作は、表示画面が高精細のものではない場合、あるいは表示画面での表示の切り換えが高速でない場合（表示画面において静止画や動作の遅い動画を表示する場合）等、電流供給能力が大きくなくても良い場合（電力消費量が少ない場合）に適する。
【０１１９】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能なモード記憶手段とを備えた表示装置用駆動装置を使用し、前記記憶手段が記憶するモード情報を書き換えることにより、駆動電圧出力手段をマスターモードとスレーブモードとの間にて切り換える構成である。
【０１２０】
上記の構成によれば、各駆動電圧出力手段は、表示画面での表示状況や要求される電流供給能力に応じて、最適な動作モードにて動作することができる。
【０１２１】
本発明の表示装置の駆動方法は、表示装置を駆動するための表示装置駆動電圧を作成し、この表示装置駆動電圧に基づき表示装置を駆動するとともに、前記表示装置駆動電圧を外部に出力するマスターモード、および外部から入力した表示装置駆動電圧に基づき表示装置を駆動するスレーブモードによる動作が可能な複数の駆動電圧出力手段と、前記の各駆動電圧出力手段をマスターモードとスレーブモードとの何れに設定するかを示すモード情報を記憶する書き換え可能なモード記憶手段とを備えた表示装置用駆動装置を使用し、前記記憶手段が記憶するモード情報に基づいて、少なくとも何れか１個の前記駆動電圧出力手段をスレーブモードに設定し、このスレーブモードの駆動電圧出力手段には、マスターモードの駆動電圧出力手段もしくは外部電源から前記表示装置駆動電圧を供給する構成である。
【０１２２】
上記の構成によれば、各駆動電圧出力手段は、表示画面での表示状況や要求される電流供給能力に応じて、最適な動作モードにて動作することができる。
【図面の簡単な説明】
【図１】本発明の実施の一形態における表示装置用駆動装置の構成を示すブロック図である。
【図２】図１に示した昇圧回路の構成を示すブロック図である。
【図３】図１に示した駆動回路の構成を示すブロック図である。
【図４】図１に示した表示装置用駆動装置の他の例に係る表示装置用駆動装置において、複数の液晶ドライバのうちの１個をマスターモードとし、他のものをスレーブモードとした場合を示すブロック図である。
【図５】図４に示した表示装置用駆動装置において、複数の液晶ドライバの全てをマスターモードとした場合を示すブロック図である。
【図６】図４に示した表示装置用駆動装置において、複数の液晶ドライバの全てをスレーブモードとした場合を示すブロック図である。
【図７】従来の表示装置用駆動装置の構成を示すブロック図である。
【図８】他の従来の表示装置用駆動装置の構成を示すブロック図である。
【図９】さらに他の従来の表示装置用駆動装置の構成を示すブロック図である。
【符号の説明】
１    表示装置用駆動装置
２    液晶パネル
３    液晶ドライバ（駆動電圧出力手段）
４    コントローラ
５    選択レジスタ（モード記憶手段）
６    昇圧回路
７    駆動回路
６１    表示装置用駆動装置
６３    制御スイッチ（スイッチング手段）
ｂ    液晶駆動電圧（表示装置駆動電圧）
【図１】
0003895186.tif 000002
【図２】
0003895186.tif 000003
【図３】
0003895186.tif 000004
【図４】
0003895186.tif 000005
【図５】
0003895186.tif 000006
【図６】
0003895186.tif 000007
【図７】
0003895186.tif 000008
【図８】
0003895186.tif 000009
【図９】
0003895186.tif 000010